(57)【要約】【課題】  本発明は魚釣用リールに係り、実釣時に反ハンドル側の側板を一方の手で握持保持する際に、確実で良好なホールド感が得られる魚釣用リールを提供することを目的とする。【解決手段】  請求項１に係る発明は、リール本体の左右の側板間にスプールを回転自在に支持し、一方の側板に前記スプールを巻取り駆動するハンドルを備えた魚釣用リールに於て、反ハンドル側の前記側板の側面に、後方側に向けて凸状に湾曲する湾曲壁部を形成し、該湾曲壁部の外周を、反ハンドル側側板を握持する手の親指と人差し指の付け根部分の掌で保持可能としたことを特徴とする。そして、請求項２に係る発明は、請求項１に記載の魚釣用リールに於て、前記湾曲壁部を、側板後方の斜め上方に凸状に湾曲させたことを特徴とする。【選択図】    図２
2011004714.tif 000002
【特許請求の範囲】
【請求項１】
リール本体の左右の側板間にスプールを回転自在に支持し、一方の側板に前記スプールを巻取り駆動するハンドルを備えた魚釣用リールに於て、
反ハンドル側の前記側板の側面に、後方側に向けて凸状に湾曲する湾曲壁部を形成し、該湾曲壁部の外周を、反ハンドル側側板を握持する手の親指と人差し指の付け根部分の掌で保持可能としたことを特徴とする魚釣用リール。
【請求項２】
前記湾曲壁部を、側板後方の斜め上方に凸状に湾曲させたことを特徴とする請求項１に記載の魚釣用リール。
【請求項３】
反ハンドル側の前記側板の前側に、スプール軸方向外方に膨らむ膨出部を形成すると共に、該膨出部の後方側周壁を前記湾曲壁部としたことを特徴とする請求項１または請求項２に記載の魚釣用リール。
【請求項４】
前記膨出部内に、機能部品を収容したことを特徴とする請求項３に記載の魚釣用リール。
【発明の詳細な説明】
【技術分野】
【０００１】
本発明は、リール本体の左右の側板間にスプールを回転自在に支持し、一方の側板にハンドルを備えた魚釣用リールに関する。
【背景技術】
【０００２】
一般に実釣時に於て、釣竿を上下に移動しての誘い操作，魚信待機，巻取り操作等を行うに際し、釣竿に装着された魚釣用リールの反ハンドル側を一方の手で握持保持し、他方の手で必要に応じてハンドルを巻取り操作している。
【０００３】
そして、特許文献１には、魚釣用リールに対する握持保持性の向上を図るため、図８及び図９に示すように反ハンドル側の側板１の外側の上方部に、握持する手の親指を載置する載置部３を設けると共に、該側板１の下方に、親指を除く他の指の複数本を引っ掛ける指掛部５を設けた魚釣用リール７が開示されている。
【先行技術文献】
【特許文献】
【０００４】
【特許文献１】実開平１−５９０６４号公報
【発明の概要】
【発明が解決しようとする課題】
【０００５】
而して、図８に示すように前記魚釣用リール７は、側板１の上方部に棚状の載置部３が側板１の前後方向に亘って外方へ突設された構造上、載置部３に載置した親指は安定することとなる。
【０００６】
しかし、前記従来例の構造では、載置部３の下方の側板１とこれを握持する掌との間に空隙が生じて、魚釣用リール７の反ハンドル側をフィット性よく掌で包み込んで保持することができず、このため、指先だけの握持になって安定性に欠けると共に、長時間に亘る握持で指が疲れ易い欠点があった。
【０００７】
本発明は斯かる実情に鑑み案出されたもので、実釣時に反ハンドル側の側板を一方の手で握持保持する際に、確実で良好なホールド感が得られる魚釣用リールを提供することを目的とする。
【課題を解決するための手段】
【０００８】
斯かる目的を達成するため、請求項１に係る発明は、リール本体の左右の側板間にスプールを回転自在に支持し、一方の側板に前記スプールを巻取り駆動するハンドルを備えた魚釣用リールに於て、反ハンドル側の前記側板の側面に、後方側に向けて凸状に湾曲する湾曲壁部を形成し、該湾曲壁部の外周を、反ハンドル側側板を握持する手の親指と人差し指の付け根部分の掌で保持可能としたことを特徴とする。
【０００９】
そして、請求項２に係る発明は、請求項１に記載の魚釣用リールに於て、前記湾曲壁部を、側板後方の斜め上方に凸状に湾曲させたことを特徴とする。
【００１０】
また、請求項３に係る発明は、請求項１または請求項２に記載の魚釣用リールに於て、反ハンドル側の前記側板の前側に、スプール軸方向外方に膨らむ膨出部を形成すると共に、該膨出部の周壁を前記湾曲壁部としたことを特徴とし、請求項４に係る発明は、請求項３に記載の魚釣用リールに於て、前記膨出部内に機能部品を収容したことを特徴とする。
【発明の効果】
【００１１】
請求項１及び請求項３に係る発明によれば、釣人が反ハンドル側の側板を手で握持する際に、手をつぼめて親指と人差し指の付け根部分の掌で湾曲壁部をフィット性よく包み込むように保持することができるため、従来に比し確実で良好なホールド感が得られることとなった。
【００１２】
また、請求項２に係る発明によれば、湾曲壁部が側板後方の斜め上方に凸状に湾曲することで、湾曲壁部を保持した手の無理のない自然な状態での親指と人差し指による保持ができるため、ホールド性が更に向上する利点を有する。
【００１３】
そして、請求項４に係る発明によれば、膨出部の湾曲壁部によるホールド性の向上を図り乍ら、膨出部内の領域を活用することで機能部品を効率よく側板内に収容することができる利点を有する。
【図面の簡単な説明】
【００１４】
【図１】請求項１乃至請求項４の一実施形態に係る魚釣用リールの平面図である。
【図２】魚釣用リールの斜視図である。
【図３】魚釣用リールの側面図である。
【図４】魚釣用リールの一部切欠き平面図である。
【図５】魚釣用リールの側面図である。
【図６】請求項１及び請求項２の一実施形態に係る魚釣用リールの側面図である。
【図７】図６のVII−VII線断面図である。
【図８】従来の魚釣用リールの斜視図である。
【図９】反ハンドル側の側板の断面図である。
【発明を実施するための形態】
【００１５】
以下、本発明の実施形態を図面に基づいて詳細に説明する。
【００１６】
図１は請求項１乃至請求項４に係る魚釣用リールの一実施形態を示し、図に於て、１１はフレーム、１３，１５は該フレーム１１の左右に取り付く側板で、フレーム１１と両側板１３，１５によって魚釣用リール１７のリール本体１９が構成されている。そして、図４に示すようにリール本体１９に軸受２１を介してスプール軸２３が回転自在に支持され、該スプール軸２３にスプール２５が取り付けられている。
【００１７】
図１に示すように一方の側板１５側にハンドル２７が取り付けられており、ハンドル２７を巻き取り操作すると、側板１５に内蔵された巻取り駆動機構によりスプール２５が回転して釣糸が巻回されるようになっている。
【００１８】
また、側板１３，１５間の後方には、側板１５内に装着された周知のクラッチ機構を操作するクラッチレバー２９が下方へ押圧操作可能に取り付けられており、該クラッチレバー２９の押圧操作で、クラッチ機構がクラッチＯＮ状態からクラッチＯＦＦ状態に切り換わるようになっている。
【００１９】
そして、このクラッチＯＦＦ状態でハンドル２７を巻取り方向へ回転させると、周知の復帰機構を介してクラッチ機構がクラッチＯＮ状態に復帰し、このクラッチ機構のクラッチＯＮ／ＯＦＦの切換えでスプール２５が巻取り可能状態とスプールフリー状態とに切り換わって、スプール２５へのハンドル２７の動力が伝達／遮断されるようになっている。
【００２０】
ところで、実釣時に於ける仕掛け投入後の手持ち状態での待機や合わせ操作、或いはハンドル２７の巻取り操作や、クラッチレバー２９によるクラッチ機構のＯＮ／ＯＦＦの切換え操作時に、図２に示すように釣人は、一般に釣竿に装着された魚釣用リール１７の反ハンドル側の側板１３を一方の手３１で握持保持する。
【００２１】
そこで、図２及び図３に示すように本実施形態は、このように釣人が側板１３を手３１で握持する際に、側板１３を握持する手３１の親指３３と人差し指３５の付け根部分の掌で保持できる湾曲壁部３７を側板１３に設けて、確実で良好なホールド感を確保している。
【００２２】
即ち、図２及び図３に示すように前記側板１３の前側の側面に、スプール軸方向外方に膨らむ側面視略放物線形状の膨出部３９が突設されている。
【００２３】
そして、図示するように膨出部３９の周壁は、側板１３後方の斜め上方に凸状に湾曲した湾曲壁部３７に形成されており、釣人が側板１３を手３１で握持した際に、手３１をつぼめて親指３３と人差し指３５の付け根部分の掌で湾曲壁部３７をホールド性よく包み込むように保持できるようになっている。
【００２４】
また、図４及び図５に示すように膨出部３９のスプール軸方向外方への膨らみを利用して、その内部にボタン電池４１や磁気センサ４３（例えば、ホール素子やリードスイッチ）等の機能部品を収容した収容ボックス４５が配置されており、該収容ボックス４５はフレーム１１の外側面にネジ止めされている。
【００２５】
前記磁気センサ４３は、図示しないレベルワインド機構の螺軸４７の端部に設けた歯車４７ａと、前記スプール軸２３の端部に設けた歯車２３ａとの間の連動歯車４９に固着したマグネット５１の回転軌跡に対向して複数装着されており、これらの磁気センサ４３とマグネット５１によってスプール２５の回転数とその回転方向を検出する回転検出手段が構成されている。
【００２６】
そして、磁気センサ４３は、リール本体１９の上部前方側に装着された電子制御ケース５３内のマイクロコンピュータに接続されており、マイクロコンピュータのＣＰＵは、磁気センサ４３から出力される回転パルス信号を取り込むことで、内蔵のアップ・ダウンカウンタをアップカウントまたはダウンカウント状態にセットして、取り込まれるスプール２５の回転パルス信号をカウントする。マイクロコンピュータのＲＯＭ（記憶手段）には、特開平５−１０３５６７号公報で開示された糸長計測装置と同様の糸長計測プログラムが組み込まれており、ＣＰＵは、スプール２５の回転パルス信号の計数値を基に釣糸の糸長を演算，計測して、糸長を電子制御ケース５３上の操作パネル５５に設けた糸長表示部５７に表示させるようになっている。
【００２７】
而して、図１乃至図５に示すように電子制御ケース５３は、リール本体１９上部より上方へ突出した周壁５９を有し、且つリール本体１９の後方から前方に向けて「ハの字」状に幅狭となる平面視先細形状のボックス状に形成されている。
【００２８】
また、図１に示すように、電子制御ケース５３上の操作パネル５５の後部領域に前記糸長表示部５７が配設されると共に、該糸長表示部５７のハンドル２７側の側部領域に、電源のＯＮ／ＯＦＦ及び糸長表示部５７の表示のリセットスイッチを兼ねた周知のＯＮ／ＯＦＦスイッチ６０と、棚取りに使用する周知の棚メモスイッチ６１が上下に配設されている。
【００２９】
そして、図１に示すように前記糸長表示部５７と両スイッチ６０，６１の上方に太陽電池６３が横方向に配設されており、図示しないが太陽電池６３や糸長表示部５７の上面は、操作パネル５５に装着される透明カバーで保護されている。
【００３０】
尚、前記太陽電池６３は、ボタン電池４１の補完用として糸長表示部５７の表示のみに使用するようになっており、天気がよく、太陽電池６３の発電による電圧がボタン電池４１の電圧より高くなった場合、糸長表示部５７の太陽電池マーク（図１中、符号６５）が点灯して、太陽電池６３による電力で糸長表示部５７の各表示（図１中、太陽電池マーク６５，上カラ表示部６７，棚カラ表示部６９，コマセタイマー７１等）が行われるようになっている。
【００３１】
そして、使用条件や使用頻度、或いは天気が悪くて照光不足により、太陽電池６３の発電で、内部の制御系に設けられているコンデンサに充電されて蓄えられた電圧がボタン電池４１の電圧より低くなった場合、太陽電池マーク６５が消灯してボタン電池４１の電力で糸長表示部５７の各表示が行われるようになっている。
【００３２】
本実施形態に係る魚釣用リール１７はこのように構成されており、実釣時に於て、例えば船縁に固定した釣竿保持装置に釣竿を保持させた監視，待機時を除き、釣人は魚とのやりとりで魚釣用リール１７の反ハンドル側の側板１３を握持するが、図２及び図３に示すように釣人が側板１３を手３１で握持する際に、手３１をつぼめて親指３３と人差し指３５の付け根部分の掌で膨出部３９の湾曲壁部３７をフィット性よく包み込むように保持することができる。
【００３３】
而も、湾曲壁部３７は側板１３後方の斜め上方に凸状に湾曲しているため、湾曲壁部３７を保持した手３１の無理のない自然な状態での親指３３と人差し指３５による保持ができることとなる。
【００３４】
また、図２及び図３に示すように電子制御ケース５３は、リール本体１９上部より上方へ突出した周壁５９を有するボックス状に形成されているため、咄嗟の操作時に魚釣用リール１７を保持する手３１の親指３３が滑って太陽電池６３や糸長表示部５７を保護する透明カバーに誤って触れてしまうことが極力防止される。
【００３５】
このように本実施形態によれば、釣人が側板１３を手３１で握持する際に、手３１をつぼめて親指３３と人差し指３５の付け根部分の掌で膨出部３９の湾曲壁部３７をフィット性よく包み込むように保持することができ、而も、湾曲壁部３７は側板１３後方の斜め上方に凸状に湾曲して湾曲壁部３７を保持した手３１の無理のない自然な状態での親指３３と人差し指３５による保持ができるため、側板１３を一方の手３１で握持保持する際に、従来に比し確実で良好なホールド感が得られることとなった。
【００３６】
そして、指先だけの握持になることがないため安定性がよく、長時間に亘る握持で指が疲れることもない。
【００３７】
更に、本実施形態によれば、膨出部３９の湾曲壁部３７によるホールド性の向上を図り乍ら、膨出部３９内の領域を活用することで、ボタン電池４１や磁気センサ４３等を効率よく側板１３内に収容することができる利点を有する。
【００３８】
図６は請求項１及び請求項２の一実施形態に係る魚釣用リール１７-1の側面図を示し、本実施形態は、前記膨出部３９に代え、反ハンドル側の側板１３-1の側面に、側板１３-1後方の斜め上方に凸状に湾曲した恰も人の耳たぶの如き外形形状からなる湾曲壁部７３を、図７に示すように断面略Ｖ字状に外方へ突設したもので、釣人が側板１３-1を手で握持した際に、手をつぼめて親指と人差し指の付け根部分の掌で湾曲壁部７３の上部側を包み込むようにホールド性よく保持できるようになっている。
【００３９】
本実施形態に係る魚釣用リール１７-1の反ハンドル側の側板１３はこのように構成されているから、実釣時に釣人が側板１３-1を手で握持する際に、手をつぼめて親指と人差し指の付け根部分の掌で湾曲壁部７３をフィット性よく包み込むように保持することができる。
【００４０】
而も、湾曲壁部７３は側板１３-1後方の斜め上方に凸状に湾曲しているため、湾曲壁部７３を保持した手の無理のない自然な状態での親指と人差し指による保持ができることとなる。
【００４１】
従って、本実施形態によっても、前記実施形態と同様、所期の目的を達成することが可能で、側板１３-1を一方の手で握持保持する際に、従来に比し確実で良好なホールド感が得られることとなった。
【００４２】
そして、指先だけの握持になることがないため安定性がよく、長時間に亘る握持で指が疲れることがない利点を有する。
【符号の説明】
【００４３】
１１  フレーム
１３，１３-1，１５  側板
１７，１７-1  魚釣用リール
１９  リール本体
２３  スプール軸
２５  スプール
２７  ハンドル
２９  クラッチレバー
３１  手
３３  親指
３５  人差し指
３７，７３  湾曲壁部
３９  膨出部
４１  ボタン電池
４３  磁気センサ
４５  収容ボックス
４７  レベルワインド機構の螺軸
５１  マグネット
５３  電子制御ケース
５５  操作パネル
５７  糸長表示部
５９  周壁
６３  太陽電池
【図１】
2011004714.tif 000003
【図２】
2011004714.tif 000004
【図３】
2011004714.tif 000005
【図４】
2011004714.tif 000006
【図５】
2011004714.tif 000007
【図６】
2011004714.tif 000008
【図７】
2011004714.tif 000009
【図８】
2011004714.tif 000010
【図９】
2011004714.tif 000011